(57)【特許請求の範囲】
【請求項１】
芯テープの表面を合成樹脂により被覆したテープ状体を縦糸及び横糸とし、これら縦糸及び横糸を所定間隔をあけて互いに交差させ、それぞれの交点部分を固着してネット部材を構成するとともに、該ネット部材の上端部、下端部及び中間部の横糸の密度が、他の部分の密度よりも高くなるように横糸を配したスキー場のフェンス用ネット部材の縦糸に沿って、ネット部材の横糸間の目を交互に縫うようにして、表面に凹凸又は節を形成した繊維強化プラスチック管又は合成樹脂被覆金属管からなる支柱を配設することにより、該支柱にネット部材を摩擦力により固定するようにしたことを特徴とするスキー場のフェンス用ネット部材の固定構造。
【請求項２】
芯テープの表面を被覆する合成樹脂に誘電率の高い熱可塑性樹脂を用いるとともに、芯テープとして一軸延伸したポリプロピレン又は超高分子ポリエチレンを用いたテープ状体で以て構成したことを特徴とする請求項１記載のスキー場のフェンス用ネット部材の固定構造。
【発明の詳細な説明】
【０００１】
【発明の属する技術分野】
本発明は、スキー場のフェンス用ネット部材の固定構造に関し、特に、スキー場の周囲を囲うことによって、滑降コースを表示したり、滑走者の転落を防止するために用いるスキー場のフェンス用ネット部材の固定構造に関するものである。
【０００２】
【従来の技術】
スキー場においては、滑走者が、安全にスキーを楽しむことができるように、合成樹脂製等のロープやフェンスによって、スキー場の周囲を囲い、滑降コースを表示したり、滑走者の転落を防止するようにしている。
【０００３】
【発明が解決しようとする課題】
ところで、従来、スキー場の周囲を囲うために用いられている合成樹脂製等のロープやフェンスは、強度及び剛性が低かったり、逆に高すぎるものが多く、スキー場という低温の環境下で、適度の強度及び剛性を呈するものがなかった。
このため、強度及び剛性が低い場合には、ロープやフェンスが、雪の重みにより垂れ下がって、滑降コースを表示することができなくなったり、滑走者が衝突した場合に滑走者を支持することができず、滑走者の転落を確実に防止することができなくなるという問題があった。
一方、逆に、強度及び剛性が高すぎる場合には、滑走者が衝突した場合に滑走者に大きな衝撃が加わり、滑走者がけがをする場合があるという問題があった。
【０００４】
また、ロープやフェンスは、滑降コースを表示したり、滑走者の転落を防止する所期の目的を達成するために、積雪量に応じてロープやフェンスの張架位置を頻繁に調整する必要があるが、従来のロープやフェンスの場合、この調整に手数を要したり、雪の重みにより、ロープやフェンスがずり落ちるという問題があった。
【０００５】
本発明は、上記従来のスキー場の周囲を囲うために用いられている合成樹脂製等のロープやフェンスの有する問題点に鑑み、スキー場という低温の環境下で、適度の強度及び剛性並びにクッション性を呈し、雪の重みや滑走者が衝突した場合に滑走者に大きな衝撃が加わることなく滑走者を確実に支持することができ、かつ、積雪量に応じてフェンスの張架位置を簡易に調整することができるとともに、雪の重みにより、フェンスがずり落ちることのないスキー場のフェンス用ネット部材の固定構造を提供することを目的とする。
【０００６】
【課題を解決するための手段】
上記目的を達成するため、本発明のスキー場のフェンス用ネット部材の固定構造は、芯テープの表面を合成樹脂により被覆したテープ状体を縦糸及び横糸とし、これら縦糸及び横糸を所定間隔をあけて互いに交差させ、それぞれの交点部分を固着してネット部材を構成するとともに、該ネット部材の上端部、下端部及び中間部の横糸の密度が、他の部分の密度よりも高くなるように横糸を配したスキー場のフェンス用ネット部材の縦糸に沿って、ネット部材の横糸間の目を交互に縫うようにして、表面に凹凸又は節を形成した繊維強化プラスチック管又は合成樹脂被覆金属管からなる支柱を配設することにより、該支柱にネット部材を摩擦力により固定するようにしたことを特徴とする。
【０００７】
このスキー場のフェンス用ネット部材の固定構造は、芯テープの表面を合成樹脂により被覆したテープ状体を縦糸及び横糸とし、これら縦糸及び横糸を所定間隔をあけて互いに交差させ、それぞれの交点部分を固着してネット部材を構成するとともに、ネット部材の少なくとも上端部及び下端部の横糸の密度が高くなるように横糸を配するようにしているので、スキー場という低温の環境下で、適度の強度及び剛性並びにクッション性を呈し、雪の重みや滑走者が衝突した場合に滑走者に大きな衝撃が加わることなく滑走者を確実に支持することができる。
そして、ネット部材の縦糸に沿って、ネット部材の横糸間の目を交互に縫うようにして、表面に凹凸又は節を形成した繊維強化プラスチック管又は合成樹脂被覆金属管からなる支柱を配設することにより、この支柱にネット部材を摩擦力により固定するようにしているので、積雪量に応じてフェンスを構成するネット部材の張架位置を簡易に調整することができるとともに、雪の重みにより、ネット部材がずり落ちることを防止することができる。
【０００８】
この場合において、芯テープの表面を被覆する合成樹脂に誘電率の高い熱可塑性樹脂を用いるとともに、芯テープとして一軸延伸したポリプロピレン又は超高分子ポリエチレンを用いたテープ状体で以て構成することができる。
【０００９】
これにより、縦糸及び横糸の交点部分を高周波電界により誘電加熱して固着することができるとともに、ポリプロピレン又は超高分子ポリエチレンからなる芯テープは、誘電加熱されにくく熱によって劣化することがなく、強度の大きいネット部材を簡易に得ることができる。
【００１０】
【発明の実施の形態】
以下、本発明のスキー場のフェンス用ネット部材の固定構造の実施の形態を図面に基づいて説明する。
【００１１】
図１に、本発明のスキー場のフェンス用ネット部材の固定構造を適用したスキー場のフェンスの一実施例を示す。
このスキー場のフェンス用ネット部材１は、図２に示すように、芯テープ１０ａの表面を合成樹脂１０ｂにより被覆したテープ状体を縦糸１１及び横糸１２とし、これら縦糸１１及び横糸１２を所定間隔をあけて互いに交差させ、それぞれの交点部分１３を固着して構成したものである。
【００１２】
フェンス用ネット部材１の縦糸１１及び横糸１２を構成するテープ状体の芯テープ１０ａには、ポリプロピレン、超高分子ポリエチレン等のクリープ歪みが小さく、大きい引張強度を有する合成樹脂製のテープ状体を用いる。
このテープ状体には、特に限定されるものではないが、延伸倍率が５〜２０倍で、厚さが０．０５〜２．０ｍｍ、幅が５〜３０ｍｍ程度の延伸したポリプロピレン又は超高分子ポリエチレンからなる一軸延伸したテープ状体を用いるようにする。
また、この芯テープ１０ａには、上記のテープ状体を複数本重ねたものを使用することもでき、これにより、引張強度を維持しながら、剛性を低減することができ、巻回性がよく、取り扱い易いフェンス用ネット部材を得ることができる。
【００１３】
また、テープ状体の芯テープ１０ａの表面を被覆する合成樹脂１０ｂには、誘電率の高いエチレン−酢酸ビニル共重合体又は塩化ビニル樹脂、特に、高周波溶着性が良好で、後述の支柱２に対する摩擦力や滑走者が衝突した場合に滑走者に大きな衝撃が加わることを防止することができる、適度の柔軟性を有する酢酸ビニル含有量が５〜３５重量％のエチレン−酢酸ビニル共重合体を用いることが望ましく、特に、横糸１２を構成するテープ状体の芯テープ１０ａの表面を被覆する合成樹脂１０ｂの表面に凹凸を形成することが望ましい。
【００１４】
この場合、芯テープ１０ａの表面を被覆する合成樹脂１０ｂに、白色（周囲の雪の色）に映える適宜の色、例えば、オレンジ色等の鮮やかな色の着色材料を添加することにより、フェンス用ネット部材１を着色することができ、これにより、このネット部材１を適用したフェンスの視認性を向上することができるものとなる。
また、フェンス用ネット部材１を構成する横糸１２のうちの１本又は数本を、他の縦糸１１や横糸１２と異なる色とすることにより、このネット部材１を適用したフェンスの視認性をさらに向上することができるものとなる。
さらに、着色材料に蛍光材料（夜光材料）を添加することにより、夜間におけるフェンスの視認性をさらに向上することができるものとなる。
【００１５】
芯テープ１０ａ及び芯テープ１０ａの表面を被覆する合成樹脂１０ｂに上記の材料を適用することにより、縦糸１１と横糸１２の交点部分１３に高周波電界を印加することにより、表面を被覆する合成樹脂１０ｂに分子歪みと分子摩擦を起こさせて急速に誘電加熱し、縦糸１１と横糸１２の交点部分１３を強固に溶着することができるものとなる。
なお、このとき、テープ状体の芯テープ１０ａとして誘電率が低く誘電加熱されにくいポリプロピレン又は超高分子量ポリエチレンを用いることにより、芯テープ１０ａが熱によって劣化することを防止することができる。
また、縦糸１１と横糸１２の交点部分１３の溶着強度を調整することができ、これにより、滑走者が高速で衝突した場合に、縦糸１１と横糸１２の交点部分１３の溶着が一部破断することにより衝撃力を吸収するように構成して、滑走者に大きな衝撃が加わることを防止するようにすることができる。
【００１６】
上記フェンス用ネット部材１の縦糸１１及び横糸１２の間隔は、フェンス用ネット部材１の使用態様に応じて適宜設定することができるが、雪の重みや滑走者が衝突した場合に滑走者に大きな衝撃が加わったり、スキーやスノーボードによって損傷を受けやすい、ネット部材１の少なくとも上端部１２ａ及び下端部１２ｂ、さらに必要に応じて、中間部１２ｃの横糸１２の密度が高くなるように横糸１２を配するようにする。
これにより、フェンス用ネット部材１を、雪の重みや滑走者が衝突した場合に滑走者に大きな衝撃が加わることなく滑走者を確実に支持することができる適度の強度及び剛性並びにクッション性を呈するように構成することができるものとなる。
【００１７】
そして、より具体的には、フェンス用ネット部材１の高さＨは、０．５〜１．５ｍ程度、長さＬは、取扱性を考慮して１０〜５０ｍ程度に設定するようにする。
また、横糸の間隔は、横糸１２の密度の高い上端部１２ａ及び下端部１２ｂ、さらに必要に応じて、中間部１２ｃの間隔ｈ1が、２０〜６０ｍｍ程度、密度の低いその他の部分１２ｄ，１２ｅの間隔ｈ2が、６０〜２００ｍｍ程度に設定することが望ましい。
また、縦糸の間隔Ｗは、６０〜２００ｍｍ程度に設定することが望ましい。
【００１８】
なお、図１に示す本実施例のフェンス用ネット部材１においては、高さＨを０．６５ｍ、長さＬを３０ｍ、横糸の間隔を、横糸１２の密度の高い上端部１２ａ、下端部１２ｂ及び中間部１２ｃの間隔ｈ1が４０ｍｍ、密度の低いその他の部分１２ｄ，１２ｅの間隔ｈ2が１２０ｍｍ、縦糸の間隔Ｗを８０ｍｍに設定するようにしている。
また、図３に示す本実施例の変形例のフェンス用ネット部材１においては、高さＨを１．０ｍ、長さＬを３０ｍ、横糸の間隔を、横糸１２の密度の高い上端部１２ａ、下端部１２ｂ及び中間部１２ｃの間隔ｈ1が４０ｍｍ、密度の低いその他の部分１２ｄ，１２ｅの間隔ｈ2が１２０ｍｍ、縦糸の間隔Ｗを８０ｍｍに設定するようにしている。
【００１９】
そして、このスキー場のフェンス用ネット部材１は、図１に示すように、フェンス用ネット部材１の縦糸１１に沿って、ネット部材１の目を縫うようにして、表面に凹凸又は節を形成した繊維強化プラスチック管又は合成樹脂被覆金属管からなる支柱２を、所定の間隔、例えば、１〜５ｍの間隔に配設して、支柱２にネット部材１を摩擦力により固定した状態で、支柱２を地盤（雪層）３中に樹立させることによって設置するようにする。
なお、本実施例においては、支柱２に、表面に凹凸を形成した直径３５ｍｍ、長さ１．５ｍ、１．８ｍ、２．１ｍの合成樹脂被覆鋼管を選択的に用いるようにしているが、支柱２の直径、長さ等は、使用状況等に応じて任意に選定することができる。
【００２０】
この場合、フェンス用ネット部材１は、支柱２に摩擦力により固定するようにしているので、ネット部材１を支柱２に沿ってずらすように移動させるだけで、積雪量に応じてネット部材１の張架位置を簡易に調整することができるとともに、支柱２の表面に形成した凹凸又は節との適度の摩擦力によって、雪の重みによりネット部材１がずり落ちることを防止することができる。
【００２１】
また、フェンス用ネット部材１の横糸１２を構成するテープ状体の芯テープ１０ａの表面を被覆する合成樹脂１０ｂの表面に凹凸を形成することにより、支柱２との摩擦力を高めることができ、これにより、フェンス用ネット部材１を、支柱２により強固に固定することができるものとなる。
【００２２】
なお、本実施例においては、フェンス用ネット部材１を、支柱２に摩擦力により固定するようにしたが、このほか、適宜の固定具を用いて、フェンス用ネット部材１を、支柱２に固定することもできる。
【００２３】
【発明の効果】
本発明のスキー場のフェンス用ネット部材の固定構造によれば、芯テープの表面を合成樹脂により被覆したテープ状体を縦糸及び横糸とし、これら縦糸及び横糸を所定間隔をあけて互いに交差させ、それぞれの交点部分を固着してネット部材を構成するとともに、ネット部材の少なくとも上端部及び下端部の横糸の密度が高くなるように横糸を配するようにしているので、スキー場という低温の環境下で、適度の強度及び剛性並びにクッション性を呈し、長期間に亘って安定して、雪の重みや滑走者が衝突した場合に滑走者に大きな衝撃が加わることなく滑走者を確実に支持することができ、安全なスキー場のフェンス用ネット部材を提供することができる。
そして、ネット部材の縦糸に沿って、ネット部材の横糸間の目を交互に縫うようにして、表面に凹凸又は節を形成した繊維強化プラスチック管又は合成樹脂被覆金属管からなる支柱を配設することにより、この支柱にネット部材を摩擦力により固定するようにしているので、積雪量に応じてフェンスを構成するネット部材の張架位置を簡易に調整することができるとともに、雪の重みにより、ネット部材がずり落ちることを防止することができる。
【００２４】
また、芯テープの表面を被覆する合成樹脂に誘電率の高い熱可塑性樹脂を用いるとともに、芯テープとして一軸延伸したポリプロピレン又は超高分子ポリエチレンを用いたテープ状体で以て構成することにより、縦糸及び横糸の交点部分を高周波電界により誘電加熱して固着することができるとともに、ポリプロピレン又は超高分子ポリエチレンからなる芯テープは、誘電加熱されにくく熱によって劣化することがなく、強度の大きいネット部材を簡易に得ることができる。
【図面の簡単な説明】
【図１】  本発明のスキー場のフェンス用ネット部材の固定構造を適用したスキー場のフェンスを示す正面図である。
【図２】  同フェンス用ネット部材を示し、（ａ）はフェンス用ネット部材を構成するテープ状体の断面図、（ｂ）はネット部材の外観斜視図である。
【図３】  本発明のスキー場のフェンス用ネット部材の固定構造の変形例を示す正面図である。
【符号の説明】
１    スキー場のフェンス用ネット部材
１１  縦糸
１２  横糸
１３  交点部分
２    支柱
【図１】
0003977923.tif 000002
【図２】
0003977923.tif 000003
【図３】
0003977923.tif 000004